(57)【要約】【課題】タイムスロットが連続するように能動的に調整することができる無線通信装置を提供すること。【解決手段】携帯電話装置１は、基地局とタイムスロットによる通信を行う通信部３０と、通信スロットにおいて通信部３０に通信を行わせる処理を行う状態であるウェイク状態と、非通信スロットにおいて通信部３０に通信を行わせず、ウェイク状態よりも消費電力量が小さいスリープ状態と、ウェイク状態とスリープ状態との状態間を遷移する間の状態であってスリープ状態よりも消費電力量が大きい遷移状態と、の３つの状態を有し、連続した通信スロットを処理する場合、スリープ状態とならずにウェイク状態を継続し、通信スロット数を増やす場合、現在の通信スロットに隣接するタイムスロットを、通信部３０に新たに使用させる制御部６０とを備える。【選択図】図２
2012109856.tif 000002
【特許請求の範囲】
【請求項１】
時分割多重方式により通信を行う無線通信装置であって、
基地局とタイムスロットによる通信を行う通信部と、
使用中のタイムスロットである通信スロットにおいて前記通信部に通信を行わせるウェイク状態と、不使用のタイムスロットである非通信スロットにおいて前記通信部に通信を行わせず前記ウェイク状態よりも消費電力量が小さいスリープ状態と、前記ウェイク状態と前記スリープ状態との状態間を遷移する間の状態であって前記スリープ状態よりも消費電力量が大きい遷移状態と、の３つの状態を有し、連続した通信スロットを処理する場合、スリープ状態とならずにウェイク状態を継続し、通信スロットを増やす場合、現在の通信タイムスロットに隣接するタイムスロットを、前記通信部に新たに使用させる制御部と、
を備える無線通信装置。
【請求項２】
前記制御部は、３以上の連続する通信スロットが使用されている場合において、通信スロットを減らすとき、当該３以上の連続する通信スロットのうち、最初又は最後に位置する通信スロットを不使用とする請求項１に記載の無線通信装置。
【請求項３】
前記制御部は、２以上の連続する通信スロットと、当該２以上の連続する通信スロットに隣接していない１の通信スロットとを使用している場合において、通信スロット数を減らすとき、当該１の通信スロットを不使用とする請求項２に記載の無線通信装置。
【請求項４】
前記制御部は、複数の通信スロットが連続していない場合、通信スロットが連続する条件を満たす通信スロットの再割当情報を、前記基地局から前記通信部を介して受信したとき、当該再割当情報に基づいて、前記通信部に使用させる通信スロットを切り替える請求項１から３のいずれか１項に記載の無線通信装置。
【請求項５】
前記制御部は、通信スロット数を増やす場合、使用されている通信スロットに隣接するタイムスロットが使用可能であるかを判定し、使用可能であると判定した場合に、当該隣接するタイムスロットを、前記通信部に新たに使用させる請求項１から４のいずれか１項に記載の無線通信装置。
【請求項６】
時分割多重方式により通信を行う無線通信装置であって、
基地局とタイムスロットによる通信を行う通信部と、
使用中の前記タイムスロットである通信スロットにおいて前記通信部に通信を行わせるウェイク状態と、不使用の前記タイムスロットである非通信スロットにおいて前記通信部に通信を行わせず前記ウェイク状態よりも消費電力量が小さいスリープ状態と、前記ウェイク状態と前記スリープ状態との状態間を遷移する間の状態であって前記スリープ状態よりも消費電力量が大きい遷移状態と、の３つの状態を有し、連続した通信スロットを処理する場合、スリープ状態とならずにウェイク状態を継続し、３以上の連続する通信スロットを減らすとき、当該３以上の連続する通信スロットのうち、最初又は最後に位置する通信スロットを不使用とする制御部と、
を備える無線通信装置。
【請求項７】
前記制御部は、前記通信部による通信に、２以上の連続する通信スロットと、当該２以上の連続する通信スロットに隣接していない１の通信スロットとを使用している場合において、通信スロット数を減らすとき、当該１の通信スロットを不使用とする請求項６に記載の無線通信装置。
【請求項８】
前記制御部は、前記通信スロットが連続していない場合、通信スロットが連続する条件を満たす通信スロットの再割当情報を、前記基地局から前記通信部を介して受信したとき、当該再割当情報に基づいて、前記通信部に使用させる通信スロットを切り替える請求項６又は７に記載の無線通信装置。
【発明の詳細な説明】
【技術分野】
【０００１】
本発明は、時分割多重方式により通信を行う無線通信装置に関する。
【背景技術】
【０００２】
従来、携帯無線通信装置において、ＴＤＭＡ（Ｔｉｍｅ  Ｄｉｖｉｓｉｏｎ  Ｍｕｌｔｉｐｌｅ  Ａｃｃｅｓｓ：時分割多重接続）を使用した通信が行われている。ＴＤＭＡを使用した通信において、基地局は、携帯無線通信装置から接続要求が行われたことに応じて、当該携帯無線通信装置に対して、順次空いているタイムスロットを割り当てる。
【０００３】
以前より、１の携帯無線通信装置に設定されるタイムスロットは１つであったが、近年、動画配信やデータ交換等の大量のデータの送受信が行われる通信が増えてきたことに対応して、１の携帯無線通信装置に複数のタイムスロットを割り当てるマルチスロット通信が行われるようになっている。
【０００４】
例えば、特許文献１には、基地局が、携帯無線通信装置からタイムスロットの割当要求を受けたことに応じて、当該携帯無線通信装置に対するタイムスロットが連続するように設定して、効率的に通信を行う方法が開示されている。
【先行技術文献】
【特許文献】
【０００５】
【特許文献１】特開２００８−４７９９６号公報
【発明の概要】
【発明が解決しようとする課題】
【０００６】
しかしながら、特許文献１に記載の方法では、携帯無線通信装置は、タイムスロットの割当要求を行うことができるものの、携帯無線通信装置側から、タイムスロットの割当時や、タイムスロットの解放時に、通信に使用中のタイムスロットが連続するようにタイムスロットの位置を指定して要求を行うことができなかった。
【０００７】
本発明は、タイムスロットが連続するように能動的に調整することができる無線通信装置を提供することを目的とする。
【課題を解決するための手段】
【０００８】
本発明に係る無線通信装置は、時分割多重方式により通信を行う無線通信装置であって、基地局とタイムスロットによる通信を行う通信部と、使用中のタイムスロットである通信スロットにおいて前記通信部に通信を行わせるウェイク状態と、不使用のタイムスロットである非通信スロットにおいて前記通信部に通信を行わせず前記ウェイク状態よりも消費電力量が小さいスリープ状態と、前記ウェイク状態と前記スリープ状態との状態間を遷移する間の状態であって前記スリープ状態よりも消費電力量が大きい遷移状態と、の３つの状態を有し、連続した通信スロットを処理する場合、スリープ状態とならずにウェイク状態を継続し、通信スロットを増やす場合、現在の通信タイムスロットに隣接するタイムスロットを、前記通信部に新たに使用させる制御部と、を備える。
【０００９】
また、上記無線通信装置では、前記制御部は、３以上の連続する通信スロットが使用されている場合において、通信スロットを減らすとき、当該３以上の連続する通信スロットのうち、最初又は最後に位置する通信スロットを不使用とすることが好ましい。
【００１０】
また、上記無線通信装置では、前記制御部は、２以上の連続する通信スロットと、当該２以上の連続する通信スロットに隣接していない１の通信スロットとを使用している場合において、通信スロット数を減らすとき、当該１の通信スロットを不使用とすることが好ましい。
【００１１】
また、上記無線通信装置では、前記制御部は、複数の通信スロットが連続していない場合、通信スロットが連続する条件を満たす通信スロットの再割当情報を、前記基地局から前記通信部を介して受信したとき、当該再割当情報に基づいて、前記通信部に使用させる通信スロットを切り替えることが好ましい。
【００１２】
また、上記無線通信装置では、前記制御部は、通信スロット数を増やす場合、使用されている通信スロットに隣接するタイムスロットが使用可能であるかを判定し、使用可能であると判定した場合に、当該隣接するタイムスロットを、前記通信部に新たに使用させることが好ましい。
【００１３】
本発明に係る無線通信装置は、時分割多重方式により通信を行う無線通信装置であって、基地局とタイムスロットによる通信を行う通信部と、使用中の前記タイムスロットである通信スロットにおいて前記通信部に通信を行わせるウェイク状態と、不使用の前記タイムスロットである非通信スロットにおいて前記通信部に通信を行わせず前記ウェイク状態よりも消費電力量が小さいスリープ状態と、前記ウェイク状態と前記スリープ状態との状態間を遷移する間の状態であって前記スリープ状態よりも消費電力量が大きい遷移状態と、の３つの状態を有し、連続した通信スロットを処理する場合、スリープ状態とならずにウェイク状態を継続し、３以上の連続する通信スロットを減らすとき、当該３以上の連続する通信スロットのうち、最初又は最後に位置する通信スロットを不使用とする制御部と、を備える。
【００１４】
また、上記無線通信装置では、前記制御部は、前記通信部による通信に、２以上の連続する通信スロットと、当該２以上の連続する通信スロットに隣接していない１の通信スロットとを使用している場合において、通信スロット数を減らすとき、当該１の通信スロットを不使用とすることが好ましい。
【００１５】
また、上記無線通信装置では、前記制御部は、前記通信スロットが連続していない場合、通信スロットが連続する条件を満たす通信スロットの再割当情報を、前記基地局から前記通信部を介して受信したとき、当該再割当情報に基づいて、前記通信部に使用させる通信スロットを切り替えることが好ましい。
【発明の効果】
【００１６】
本発明によれば、タイムスロットが連続するように能動的に調整することができる。
【図面の簡単な説明】
【００１７】
【図１】携帯電話装置の外観斜視図である。
【図２】携帯電話装置の機能を示す機能ブロック図である。
【図３】携帯電話装置と基地局との間におけるＴＤＭＡ−ＴＤＤ方式の通信を示す模式図である。
【図４】通信に使用されている複数のタイムスロットが隣接していない場合の状態遷移を示す図である。
【図５】通信に使用されている複数のタイムスロットが隣接している場合の状態遷移を示す図である。
【図６】携帯電話装置及び基地局における通信に使用するタイムスロットを増加させる場合の処理の流れを示すフローチャートである。
【図７】携帯電話装置におけるタイムスロットを指定する処理の流れを示すフローチャートである。
【図８】図７のフローチャートに続くフローチャートである。
【図９】携帯電話装置及び基地局における通信に使用するタイムスロットを減少させる場合の処理の流れを示すフローチャートである。
【図１０】携帯電話装置及び基地局における通信に使用するタイムスロットを切り替える場合の処理の流れを示すフローチャートである。
【発明を実施するための形態】
【００１８】
以下、本発明の実施の形態について説明する。なお、本実施形態では、無線通信装置の一例として、携帯電話装置について説明する。なお、本発明の無線通信装置は、これに限られず、例えば、ＰＤＡ（Ｐｅｒｓｏｎａｌ  Ｄｉｇｉｔａｌ  Ａｓｓｉｓｔａｎｔ）の他、無線通信機能を備えたナビゲーション装置やパーソナルコンピュータ、更に、これらに接続される通信モジュール等、様々な無線通信装置に適用可能である。
【００１９】
図１は、本実施形態に係る携帯電話装置１の外観斜視図である。本実施形態に係る携帯電話装置１は、時分割多重接続（ＴＤＭＡ：Ｔｉｍｅ  Ｄｉｖｉｓｉｏｎ  Ｍｕｌｔｉｐｌｅ  Ａｃｃｅｓｓ）方式及び時分割複信（ＴＤＤ：Ｔｉｍｅ  Ｄｉｖｉｓｉｏｎ  Ｄｕｐｌｅｘ）方式を多元接続技術として用いて基地局等の外部機器と通信を行うものである。なお、図１は、いわゆる折り畳み型の携帯電話装置の形態を示しているが、本発明に係る携帯電話装置の形態としては、特にこれに限られない。例えば、両筐体を重ね合わせた状態から一方の筐体を一方向にスライドさせるようにした回転式（ターンタイプ）や、操作部と表示部とが１つの筐体に配置され、連結部を有さない形式（ストレートタイプ）でもよい。
【００２０】
携帯電話装置１は、操作部側筐体部２と、表示部側筐体部３とを備えて構成される。
操作部側筐体部２は、表面部１０に、操作部１１と、携帯電話装置１の使用者が通話時に発した音声が入力されるマイク１２とを備えて構成される。操作部１１は、各種設定や電話機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２とを備えて構成されている。
【００２１】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２２】
図２は、本実施形態に係る携帯電話装置１の機能を示す機能ブロック図である。
携帯電話装置１は、図２に示すように、操作部１１と、マイク１２と、通信部３０と、ＬＣＤ制御部４１と、音声処理部４２と、記憶部５０と、制御部６０とを操作部側筐体部２に備える。また、携帯電話装置１は、ＬＣＤ表示部２１と、スピーカ２２と、ＬＣＤドライバ２３とを表示部側筐体部３に備える。
【００２３】
通信部３０は、基地局（図示省略）等の外部機器と信号の送受信を行う。この通信部３０は、アンテナとしてのメインアンテナ３１と、ＲＦ回路部３２とを備える。
【００２４】
メインアンテナ３１は、基地局等の外部機器と、所定の変調方式で変調された高周波信号の送受信を行う。
ＲＦ回路部３２は、メインアンテナ３１により送受信される高周波信号を処理する。具体的には、ＲＦ回路部３２は、メインアンテナ３１によって受信した信号を所定の復調方式で復調し、処理後の信号を制御部６０に供給する。また、ＲＦ回路部３２は、制御部６０から供給された信号を所定の変調方式で変調し、メインアンテナ３１を介して基地局等の外部機器に送信する。
【００２５】
本実施形態において、通信部３０は、ＴＤＭＡ−ＴＤＤ方式により基地局等と通信を行う。図３は、本実施形態の携帯電話装置１と基地局Ａとの間におけるＴＤＭＡ−ＴＤＤ方式の通信を示す模式図である。
【００２６】
図３に示すように、携帯電話装置１と基地局Ａとの通信において、１周波数帯域に対する多重化数（通信チャネル）は４つである。また、１スロットのスロット長は、０．６２５ｍｓｅｃである。ここで、１スロットとは、１周波数帯域の時分割による最小単位である。ここでは、タイムスロットＴＳ１、ＴＳ２、ＴＳ３及びＴＳ４が、タイムスロットＴＳ１、ＴＳ２、ＴＳ３、ＴＳ４の順番に設けられている。また、タイムスロットＴＳ２に示されているＴ１、Ｔ２、・・・ＴＮは送信データであり、Ｒ１、Ｒ２、・・・ＲＮは受信データである。
【００２７】
また、１フレームは、８つのスロットから構成され、１フレームのフレーム長は、５ｍｓｅｃである。１フレームの前半部分の４スロットは、送信タイムスロット（以下、送信タイムスロットを送信スロットという）として使用され、所定周期（５ｍｓｅｃ）での携帯電話装置１から基地局Ａへの通信に使用される。また、１フレームの後半部分の４スロットは、受信タイムスロット（以下、受信タイムスロットを受信スロットという）として使用され、所定周期（５ｍｓｅｃ）での基地局Ａから携帯電話装置１への通信に使用される。なお、本実施形態では、使用中のタイムスロットを通信スロットともいい、不使用のタイムスロットを非通信スロットともいう。
また、１マルチフレームは、２０のフレームから構成され、１マルチフレームのマルチフレーム長は、１００ｍｓｅｃである。なお、携帯電話装置１及び基地局Ａは、通信においてフレーム単位で同期を行う。
【００２８】
図２に再び話を戻す。ＬＣＤ制御部４１は、制御部６０の制御に従って、所定の画像処理を行い、処理後の画像データをＬＣＤドライバ２３に出力する。ＬＣＤドライバ２３は、フレームメモリを備えており、ＬＣＤ制御部４１から供給された画像データをフレームメモリに蓄える。そして、ＬＣＤドライバ２３は、フレームメモリに蓄えられた画像データを所定のタイミングでＬＣＤ表示部２１又はサブＬＣＤ表示部（図示省略）に出力する。
【００２９】
音声処理部４２は、制御部６０の制御に従って、所定の音声処理を行い、処理後の信号をスピーカ２２に出力する。スピーカ２２は、音声処理部４２から供給された信号を外部に出力する。また、音声処理部４２は、マイク１２から入力された信号を処理し、処理後の信号を制御部６０に出力する。
【００３０】
記憶部５０は、例えば、情報を記憶するメモリ等により構成されており、制御部６０による演算処理に利用される。また、記憶部５０は、基地局Ａに送信する送信データと、基地局Ａから受信した受信データとを記憶するとともに、本実施形態に係るアプリケーションや各種プログラム等を記憶する。なお、記憶部５０は、着脱可能な外部メモリを兼ねていてもよい。
【００３１】
制御部６０は、中央演算装置（ＣＰＵ）等により構成されており、通信部３０にタイムスロットによる通信を行わせる処理を行う状態であるウェイク状態と、通信部３０に通信を行わせることが出来ない状態であってウェイク状態よりも消費電力量が小さいスリープ状態と、ウェイク状態とスリープ状態との状態間を遷移する間の状態であってスリープ状態よりも消費電力量が大きい遷移状態と、の３つの状態を有する。つまり、ウェイク状態は、通信スロットにおいて通信部３０に通信を行わせる状態であり、スリープ状態は、非通信スロットにおいて通信部３０に通信を行わせない状態であり、遷移状態は、ウェイク状態とスリープ状態との状態間を遷移する間の状態である。
【００３２】
制御部６０は、携帯電話装置１の全体を制御しており、例えば、通信部３０、ＬＣＤ制御部４１、音声処理部４２等に対して所定の制御を行う。また、制御部６０は、操作部１１等から入力を受け付けて、各種処理を実行する。そして、制御部６０は、処理実行の際には、記憶部５０を制御し、各種プログラム及びデータの読み出し、並びにデータの書き込みを行う。
【００３３】
このように構成される携帯電話装置１は、制御部６０により、使用中のタイムスロット（通信スロット）が連続するように割当要求を行う。以下に、制御部６０について、詳細な説明を行う。
【００３４】
制御部６０は、通信部３０による通信において使用するタイムスロット（通信スロット）数を増やす場合、現在使用しているタイムスロットに隣接するタイムスロットを、通信部３０に新たに使用させる。
【００３５】
具体的には、制御部６０は、以下のようにして通信部３０に新たにタイムスロットを使用させる。
すなわち、制御部６０は、タイムスロット数を増やす場合、現在基地局Ａと通信チャネルが確立しているタイムスロットに隣接するタイムスロットを、通信チャネルの追加割当希望スロットとし、この追加割当希望スロットの情報を含むチャネル割当要求信号を、通信部３０を介して基地局Ａに送信する。
【００３６】
基地局Ａは、チャネル割当要求信号を受信したことに応じて、チャネル割当要求信号に含まれる追加割当希望スロットの情報に基づいて、当該追加割当希望スロットが使用可能であるか否かを判定する。続いて、基地局Ａでは、当該追加割当希望スロットが使用可能である場合に、当該スロットに携帯電話装置１との通信チャネルを優先的に割り当て、通信チャネルが割り当てられたタイムスロットの割当情報を含むチャネル割当信号を携帯電話装置１に送信する。
【００３７】
続いて、制御部６０は、チャネル割当信号を基地局Ａから受信したことに応じて、当該タイムスロットでの通信チャネルを確立する。
【００３８】
このようにすることで、携帯電話装置１は、タイムスロット数を増やす場合、制御部６０により、現在使用しているタイムスロットに隣接するタイムスロットを通信部３０に新たに使用させるので、携帯電話装置１側で、タイムスロットが連続するように能動的に調整することができる。
【００３９】
ここで、通信において複数のタイムスロットが使用されている場合の、制御部６０の状態遷移について説明する。なお、制御部６０がスリープ状態からウェイク状態に遷移する場合に遷移状態となる期間と、制御部６０がウェイク状態からスリープ状態に遷移する場合に遷移状態となる期間とは、それぞれ一定であるものとする。
【００４０】
図４は、通信に使用されている複数のタイムスロットが隣接していない場合の状態遷移を示す図である。なお、図４では、タイムスロットＴＳ２と、タイムスロットＴＳ４とが通信に使用されているものとする。
【００４１】
図４において、制御部６０は時刻ｔ１まで、スリープ状態を維持している。続いて、制御部６０は、タイムスロットＴＳ２における送信処理を実行するため、ウェイク状態への遷移を開始する。ここで、制御部６０は、スリープ状態からウェイク状態に直接遷移せず、時刻ｔ１から時刻ｔ２まで遷移状態となり、時刻ｔ２においてウェイク状態となる。続いて、制御部６０は、ウェイク状態で、時刻ｔ２から時刻ｔ３までタイムスロットＴＳ２に係る処理を実行し、その後、時刻ｔ３から時刻ｔ４まで遷移状態となった後、時刻ｔ４においてスリープ状態となる。
【００４２】
続いて、制御部６０は、タイムスロットＴＳ４における送信処理を実行するため、ウェイク状態への遷移を開始する。ここで、制御部６０は、時刻ｔ５から時刻ｔ６まで遷移状態となり、時刻ｔ６においてウェイク状態となる。続いて、制御部６０は、ウェイク状態で、時刻ｔ６から時刻ｔ７までタイムスロットＴＳ４に係る処理を実行し、その後、時刻ｔ７から時刻ｔ８まで遷移状態となった後、時刻ｔ８においてスリープ状態となる。
【００４３】
このように、通信に使用されている複数のタイムスロットが隣接していない場合、制御部６０は、通信に使用されている複数のタイムスロットに係る処理を実行するために、当該処理の前後に遷移状態となる。
【００４４】
図５は、通信に使用されている複数のタイムスロットが隣接している場合の状態遷移を示す図である。なお、図５では、タイムスロットＴＳ３と、タイムスロットＴＳ４とが通信に使用されているものとする。
【００４５】
図５において、制御部６０は時刻ｔ１１まで、スリープ状態を維持している。続いて、制御部６０は、タイムスロットＴＳ３における送信処理を実行するため、ウェイク状態への遷移を開始する。ここで、制御部６０は、時刻ｔ１１から時刻ｔ１２まで遷移状態となり、時刻ｔ１２においてウェイク状態となる。続いて、制御部６０は、ウェイク状態で、時刻ｔ１２から時刻ｔ１３において、タイムスロットＴＳ３に係る処理を実行するとともに、タイムスロットＴＳ４に係る処理を実行する。すなわち、制御部６０は、使用されている複数のタイムスロットが隣接している場合（連続した通信スロットを処理する場合）、スリープ状態とならずにウェイク状態を継続する。その後、時刻ｔ１３から時刻ｔ１４まで遷移状態となった後、時刻ｔ１４においてスリープ状態となる。
【００４６】
このように、通信に使用されている複数のタイムスロットが隣接している場合、制御部６０は、タイムスロットＴＳ３に係る処理とタイムスロットＴＳ４とに係る処理とを連続して実行するため、遷移状態となる期間が少ない。よって、携帯電話装置１は、通信に使用されている複数のタイムスロットが隣接している場合、通信に使用されている複数のタイムスロットが隣接していない場合に比べて、遷移状態となる期間が少なく、スリープ状態を長期間にわたって維持できるので、消費電力を削減することができる。
【００４７】
なお、制御部６０は、通信部３０による通信において使用するタイムスロット数（通信スロット）を増やす場合、使用されているタイムスロットに隣接するタイムスロットが使用可能であるかを判定し、使用可能であると判定した場合に、当該隣接するタイムスロットを、通信部３０に新たに使用させるようにしてもよい。
【００４８】
このようにすることで、携帯電話装置１は、現在通信に使用されているタイムスロットに隣接しているタイムスロットから、通信に使用可能であるタイムスロットを能動的に選択することができる。
【００４９】
また、制御部６０は、通信部３０による通信に３以上の連続するタイムスロット（通信スロット）が使用されている場合において、タイムスロット数を減らすとき、当該３以上の連続するタイムスロットのうち、最初又は最後に位置するタイムスロットを不使用とする。
【００５０】
具体的には、制御部６０は、以下のようにして通信部３０において使用されているタイムスロットの数を減らす。
すなわち、制御部６０は、通信部３０による通信に３以上の連続するタイムスロットにおいて通信チャネルが確立されている場合において、１の通信チャネルを切断するとき、当該３以上の連続するタイムスロットに対応する通信チャネルのうち、最初又は最後に位置するタイムスロット（例えば、タイムスロットＴＳ２、ＴＳ３及びＴＳ４を使用している場合における、タイムスロットＴＳ２又はＴＳ４）の通信チャネルを切断する。そして、制御部６０は、通信チャネルが切断されたタイムスロットの情報を含むチャネル切断信号を、通信部３０を介して基地局Ａに送信する。
【００５１】
また、制御部６０は、通信部による通信に、２以上の連続するタイムスロット（通信スロット）と、当該２以上の連続するタイムスロットに隣接していない１のタイムスロットとが使用されて場合において、タイムスロット数を減らすとき、当該１のタイムスロットを不使用（非通信スロット）とする。
【００５２】
具体的には、制御部６０は、２以上の連続するタイムスロットと、当該２以上の連続するタイムスロットに隣接していない１のタイムスロットとにおいて通信チャネルが確立されている場合において、１の通信チャネルを切断するとき、当該２以上の連続するタイムスロットに隣接していない１のタイムスロットの通信チャネルを切断する。そして、制御部６０は、通信チャネルが切断されたタイムスロットの情報を含むチャネル切断信号を、通信部３０を介して基地局Ａに送信する。
【００５３】
一方、基地局Ａは、チャネル切断信号を受信したことに応じて、当該チャネル切断信号に含まれるタイムスロットの情報に基づいて、当該タイムスロットの通信チャネルを切断する。
【００５４】
このようにすることで、携帯電話装置１は、通信部３０による通信に使用されているタイムスロット数を減らされた後でも、複数のタイムスロットが連続するように通信チャネルを切断する。よって、携帯電話装置１は、通信に使用されるタイムスロットが連続する状態を維持することができるので、制御部６０が遷移状態となる時間を削減して、消費電力を削減することができる。
【００５５】
また、制御部６０は、通信部３０による通信に使用されている複数のタイムスロット（通信スロット）が連続していない場合、通信に使用されるタイムスロットが連続する条件を満たすタイムスロットの再割当情報を、基地局Ａから通信部３０を介して受信したとき、当該再割当情報に基づいて、通信部３０に使用させるタイムスロットを切り替える。
【００５６】
具体的には、制御部６０は、複数の通信チャネルが確立され、当該複数の通信チャネルそれぞれに対応するタイムスロットが連続していない場合、タイムスロットが連続する条件を満たすタイムスロットの再割当情報を含むチャネル切替信号を基地局Ａから受信する。続いて、制御部６０は、受信したチャネル切替信号に含まれている再割当情報に基づいて、通信チャネルを切り替える。
【００５７】
このようにすることで、携帯電話装置１は、通信に使用されている複数のタイムスロットが連続していない場合であっても、タイムスロットの再割当情報に基づいて、複数のタイムスロットが連続するようにタイムスロットの割当を制御することができる。
【００５８】
続いて、携帯電話装置１及び基地局Ａにおいて通信に使用するタイムスロットを増加させる処理の流れについて説明する。図６は、本実施形態に係る携帯電話装置１及び基地局Ａにおける通信に使用するタイムスロットを増加させる場合の処理の流れを示すフローチャートである。
【００５９】
ステップＳ１において、制御部６０は、通信に使用するタイムスロットを指定する処理である、スロット指定処理を実行する。この処理については、図７、図８で説明する。
ステップＳ２において、制御部６０は、ステップＳ１において指定されたタイムスロットを、追加割当希望スロットとし、この追加割当希望スロットの情報を含むチャネル割当要求信号を、基地局Ａに送信する。
【００６０】
ステップＳ３において、基地局Ａは、チャネル割当要求信号を携帯電話装置１から受信する。
ステップＳ４において、基地局Ａは、チャネル割当要求信号に含まれている追加割当希望スロットを優先して、使用するタイムスロットを決定する。すなわち、基地局Ａは、追加割当希望スロットが使用可能である場合に、携帯電話装置１との通信チャネルを優先的に割り当てる。
ステップＳ５において、基地局Ａは、使用するタイムスロットの割当情報を含むチャネル割当情報を携帯電話装置１に送信する。
【００６１】
ステップＳ６において、制御部６０は、チャネル割当情報を基地局Ａから受信する。
ステップＳ７において、制御部６０は、チャネル割当情報に基づいて、通信チャネルを確立する。
【００６２】
図７及び図８は、本実施形態に係る携帯電話装置１におけるタイムスロットを指定する処理（スロット指定処理）の流れを示すフローチャートである。なお、ここでは、スロット０、スロット１、スロット２、スロット３の順番で、４つのタイムスロットが設けられていることとして説明する。
【００６３】
ステップＳ１０１において、制御部６０は、１つのタイムスロットのみが通信部３０の通信に使用中であるか否かを判定する。制御部６０は、この判定がＹＥＳの場合、ステップＳ１０２に処理を移し、この判定がＮＯの場合、図８のステップＳ１０９に処理を移す。
【００６４】
ステップＳ１０２において、制御部６０は、スロット０が通信部３０の通信に使用中か否かを判定する。制御部６０は、この判定がＹＥＳの場合、ステップＳ１０３に処理を移し、この判定がＮＯの場合、ステップＳ１０４に処理を移す。
ステップＳ１０３において、制御部６０は、スロット０と隣接するタイムスロットがスロット１であるので、スロット１を追加割当希望スロットに指定する。制御部６０は、この処理が終了すると、スロット指定処理を終了する。
【００６５】
ステップＳ１０４において、制御部６０は、スロット１が通信部３０の通信に使用中か否かを判定する。制御部６０は、この判定がＹＥＳの場合、ステップＳ１０５に処理を移し、この判定がＮＯの場合、ステップＳ１０６に処理を移す。
ステップＳ１０５において、制御部６０は、スロット１と隣接するタイムスロットがスロット０又はスロット２であるので、スロット０又はスロット２を追加割当希望スロットに指定する。制御部６０は、この処理が終了すると、スロット指定処理を終了する。
【００６６】
ステップＳ１０６において、制御部６０は、スロット２が通信部３０の通信に使用中か否かを判定する。制御部６０は、この判定がＹＥＳの場合、ステップＳ１０７に処理を移し、この判定がＮＯの場合、つまり、スロット３が使用中の場合、ステップＳ１０８に処理を移す。
ステップＳ１０７において、制御部６０は、スロット２と隣接するタイムスロットがスロット１又はスロット３であるので、スロット１又はスロット３を追加割当希望スロットに指定する。制御部６０は、この処理が終了すると、スロット指定処理を終了する。
【００６７】
ステップＳ１０８において、使用されているタイムスロットはスロット３となる。そこで、ステップＳ１０８において、制御部６０は、スロット３と隣接するタイムスロットがスロット２であるので、スロット２を追加割当希望スロットに指定する。制御部６０は、この処理が終了すると、スロット指定処理を終了する。
【００６８】
次に、図８を用いて、使用中のタイムスロット数が２つ以上の場合の制御部６０の処理について説明する。ステップＳ１０９において、制御部６０は、２つのタイムスロットのみが通信部３０の通信に使用中であるか否かを判定する。制御部６０は、この判定がＹＥＳの場合、ステップＳ１１１に処理を移し、この判定がＮＯの場合、つまり、使用しているタイムスロット数が３つの場合、ステップＳ１１０に処理を移す。
【００６９】
ステップＳ１１０において、制御部６０は、通信部３０の通信に使用中のタイムスロットが３つであることから、使用していないタイムスロットを追加割当希望スロットに指定する。制御部６０は、この処理が終了すると、スロット指定処理を終了する。なお、通信部３０の通信に使用中のタイムスロットが４つである場合には、制御部６０は、スロット指定処理を受け付けないようにしてもよい。
【００７０】
ステップＳ１１１において、制御部６０は、スロット０及びスロット１、又はスロット１及びスロット３が通信部３０の通信に使用中か否かを判定する。制御部６０は、この判定がＹＥＳの場合、ステップＳ１１２に処理を移し、この判定がＮＯの場合、ステップＳ１１３に処理を移す。
ステップＳ１１２において、制御部６０は、スロット２を通信に使用することにより、通信に使用される３つのタイムスロットが連続することになるので、スロット２を追加割当希望スロットに指定する。制御部６０は、この処理が終了すると、スロット指定処理を終了する。
【００７１】
ステップＳ１１３において、制御部６０は、スロット０及びスロット２、又はスロット２及びスロット３が通信部３０の通信に使用中か否かを判定する。制御部６０は、この判定がＹＥＳの場合、ステップＳ１１４に処理を移し、この判定がＮＯの場合、ステップＳ１１５に処理を移す。
ステップＳ１１４において、制御部６０は、スロット１を通信に使用することにより、通信に使用される３つのタイムスロットが連続することになるので、スロット１を追加割当希望スロットに指定する。制御部６０は、この処理が終了すると、スロット指定処理を終了する。
【００７２】
ステップＳ１１５において、制御部６０は、スロット０及びスロット３が通信部３０の通信に使用中か否かを判定する。制御部６０は、この判定がＹＥＳの場合、ステップＳ１１６に処理を移し、この判定がＮＯの場合、ステップＳ１１７に処理を移す。
ステップＳ１１６において、制御部６０は、スロット１又はスロット２を追加割当希望スロットに指定する。制御部６０は、この処理が終了すると、スロット指定処理を終了する。
【００７３】
ステップＳ１１７において、使用されているタイムスロットはスロット１及びスロット２となる。そこで、ステップＳ１０８において、制御部６０は、スロット１又はスロット３を通信に使用することにより、通信に使用される３つのタイムスロットが連続することになるので、スロット１又はスロット３を追加割当希望スロットに指定する。制御部６０は、この処理が終了すると、スロット指定処理を終了する。
【００７４】
図９は、本実施形態に係る携帯電話装置１及び基地局Ａにおける通信に使用するタイムスロットを減少させる場合の処理の流れを示すフローチャートである。
【００７５】
ステップＳ２１において、制御部６０は、４つのタイムスロットが通信部３０の通信に使用中か否かを判定する。制御部６０は、この判定がＹＥＳの場合、ステップＳ２２に処理を移し、この判定がＮＯの場合、ステップＳ２３に処理を移す。
ステップＳ２２において、制御部６０は、スロット０又はスロット３の通信を切断しても、通信に使用される３つのタイムスロットが連続することになるので、スロット０又はスロット３の通信を切断、すなわち、通信チャネルを切断する。制御部６０は、この処理が終了すると、ステップＳ３２に処理を移す。
【００７６】
ステップＳ２３において、制御部６０は、３つのタイムスロットが通信部３０の通信に使用中か否かを判定する。制御部６０は、この判定がＹＥＳの場合、ステップＳ２５に処理を移し、この判定がＮＯの場合、つまり、使用しているタイムスロット数が２つ又は１つの場合、ステップＳ２４に処理を移す。
ステップＳ２４において、使用されているタイムスロットは２つ又は１つとなる。よって、制御部６０は、使用中のタイムスロットのいずれか１つの通信を切断する。制御部６０は、この処理が終了すると、ステップＳ３２に処理を移す。
【００７７】
ステップＳ２５において、制御部６０は、スロット０が通信部３０の通信に不使用であるか否かを判定する。制御部６０は、この判定がＹＥＳの場合、ステップＳ２６に処理を移し、この判定がＮＯの場合、ステップＳ２７に処理を移す。
ステップＳ２６において、使用されているタイムスロットは、スロット１、スロット２、及びスロット３となり、３つタイムスロットが連続した状態となる。よって、制御部６０は、スロット１又はスロット３の通信を切断する。制御部６０は、この処理が終了すると、ステップＳ３２に処理を移す。
【００７８】
ステップＳ２７において、制御部６０は、スロット１が通信部３０の通信に不使用であるか否かを判定する。制御部６０は、この判定がＹＥＳの場合、ステップＳ２８に処理を移し、この判定がＮＯの場合、ステップＳ２９に処理を移す。
ステップＳ２８において、使用されているタイムスロットは、スロット０、スロット２、及びスロット３となる。すなわち、ステップＳ２８では、２以上の連続するタイムスロットであるスロット２及びスロット３と、当該連続するタイムスロットに隣接していないスロット０が通信に使用されている、よって、制御部６０は、スロット０の通信を切断する。制御部６０は、この処理が終了すると、ステップＳ３２に処理を移す。
【００７９】
ステップＳ２９において、制御部６０は、スロット２が通信部３０の通信に不使用であるか否かを判定する。制御部６０は、この判定がＹＥＳの場合、ステップＳ３０に処理を移し、この判定がＮＯの場合、つまり、不使用のタイムスロットがスロット３の場合、ステップＳ３１に処理を移す。
ステップＳ３０において、使用されているタイムスロットは、スロット０、スロット１、及びスロット３となる。すなわち、ステップＳ２８では、２以上の連続するタイムスロットであるスロット０及びスロット１と、当該連続するタイムスロットに隣接していないスロット３が通信に使用されている、よって、制御部６０は、スロット３の通信を切断する。制御部６０は、この処理が終了すると、ステップＳ３２に処理を移す。
【００８０】
ステップＳ３１において、不使用のタイムスロットはスロット３であるので、使用されているタイムスロットは、スロット０、スロット１、及びスロット２となり、３つタイムスロットが連続した状態となる。よって、制御部６０は、スロット０又はスロット２の通信を切断する。制御部６０は、この処理が終了すると、ステップＳ３２に処理を移す。
【００８１】
ステップＳ３２において、制御部６０は、通信が切断されたタイムスロットの情報を含むチャネル切断信号を、基地局Ａに送信する。基地局Ａでは、チャネル切断信号を受信したことに応じて、当該タイムスロットの通信チャネルを切断し、当該タイムスロットを使用可能な状態と判定する。
【００８２】
図１０は、本実施形態に係る携帯電話装置１及び基地局Ａにおける通信に使用するタイムスロットを切り替える場合の処理の流れを示すフローチャートである。
【００８３】
ステップＳ４１において、基地局Ａは、使用可能なタイムスロットが増加したか否かを判定する。基地局Ａは、この判定がＹＥＳの場合、ステップＳ４２に処理を移し、この判定がＮＯの場合、ステップＳ４１の処理を再実行する。
【００８４】
ステップＳ４２において、基地局Ａは、携帯電話装置１との間で使用されているタイムスロットに対して、使用可能なタイムスロットが連続するものであるか否かを判定する。基地局Ａは、この判定がＹＥＳの場合、ステップＳ４３に処理を移し、この判定がＮＯの場合、ステップＳ４１に処理を移す。
【００８５】
ステップＳ４３において、基地局Ａは、切り替えるタイムスロットを決定する。
ステップＳ４４において、基地局Ａは、通信に使用されるタイムスロットが連続する条件を満たすタイムスロットの再割当情報含むチャネル切替信号を携帯電話装置１に送信する。
【００８６】
ステップＳ４５において、制御部６０は、チャネル切替信号を受信する。
ステップＳ４６において、制御部６０は、ステップＳ４５において受信したチャネル切替信号に基づいて、通信チャネルを切り替える。
【００８７】
以上、本実施形態によれば、携帯電話装置１は、タイムスロット数を増やす場合、制御部６０により、現在使用しているタイムスロットに隣接するタイムスロットを通信部３０に新たに使用させるので、携帯電話装置１側で、タイムスロットが連続するように能動的に調整することができる。また、携帯電話装置１は、通信に使用されている複数のタイムスロットが隣接している場合、通信に使用されている複数のタイムスロットが隣接していない場合に比べて、遷移状態となる期間が少なく、スリープ状態を長期間にわたって維持できるので、消費電力を削減することができる。
【００８８】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００８９】
１  携帯電話装置
３０  通信部
５０  記憶部
６０  制御部
【図１】
2012109856.tif 000003
【図２】
2012109856.tif 000004
【図３】
2012109856.tif 000005
【図４】
2012109856.tif 000006
【図５】
2012109856.tif 000007
【図６】
2012109856.tif 000008
【図７】
2012109856.tif 000009
【図８】
2012109856.tif 000010
【図９】
2012109856.tif 000011
【図１０】
2012109856.tif 000012